(57)【要約】【課題】ハードディスクドライブ内蔵型テレビジョン受像機、及びテレビジョン受像機において、ハードディスクにＴＶ番組を記録しながらＴＶ番組の内容を表す情報画面を生成することができるようにし、ユーザが、ＴＶ番組の内容について記載された出版物の購入、ホームページの閲覧、又はメモを取りながらＴＶ番組の再視聴を行う等のＴＶ番組の内容の確認作業を行う手間を軽減する。【解決手段】ユーザが操作部を操作することにより、ＨＤＤ（ハードディスクドライブ）のハードディスクにＴＶ番組を記録すると（Ｓ１）、制御用マイコンは、ＴＶ番組の映像及び音声に含まれる文字を認識し（Ｓ２）、さらにＴＶ番組の種類を判別する（Ｓ３）。この判別の結果、判別したＴＶ番組の種類に適した形式と内容を持つ情報画面を、上記Ｓ２において認識した文字を用いて生成し（Ｓ４）、生成した情報画面をディスプレイに表示し（Ｓ５）、制御用マイコンは処理を終了する。【選択図】図３
2007228220.tif 000002
【特許請求の範囲】
【請求項１】
旅行や料理等の情報番組（以下、ＴＶ番組という）のテレビジョン放送信号（以下、ＴＶ放送信号という）を受信するチューナと、
前記チューナによって受信したＴＶ放送信号に含まれる映像信号に基いた映像、及び各種のメッセージ等を表示する表示手段と、
前記チューナによって受信した前記ＴＶ放送信号に含まれる音声信号に基いた音声を出力する音声出力手段と、
ユーザが操作するためのボタン等を有する操作手段と、
前記ＴＶ番組を記録するためのハードディスクドライブと、
装置各部を制御する制御手段とを備えたハードディスクドライブ内蔵型テレビジョン受像機において、
前記ＴＶ番組の映像に含まれる字幕を文字として認識する映像文字認識手段と、
前記ＴＶ番組の音声に含まれる言葉を文字として認識する音声文字認識手段と、
前記ＴＶ番組の種類を判別するＴＶ番組種類判別手段と、
前記ＴＶ番組の種類毎に、該ＴＶ番組の種類に適した形式と内容を持つ情報画面を生成する情報画面生成手段とをさらに備え、
前記制御手段は、
前記ハードディスクドライブ内のハードディスクに前記ＴＶ番組を記録するときに、前記映像文字認識手段及び前記音声文字認識手段を用いて、該ＴＶ番組の映像及び音声に含まれる文字を認識すると共に、前記ＴＶ番組種類判別手段を用いて、該ＴＶ番組の種類を判別した後、
前記ＴＶ番組種類判別手段により判別したＴＶ番組の種類に適した形式と内容を持つ情報画面を、前記映像文字認識手段及び前記音声文字認識手段が認識した文字を用いて、前記情報画面生成手段により生成し、生成した情報画面を前記表示手段に表示することを特徴とするハードディスクドライブ内蔵型テレビジョン受像機。
【請求項２】
テレビ番組（以下、ＴＶ番組という）についてのテレビジョン放送信号（以下、ＴＶ放送信号という）に含まれる映像信号に基いた映像、及び各種のメッセージ等を表示する表示手段と、
装置各部を制御する制御手段とを備えたテレビジョン受像機において、
前記ＴＶ番組の映像に含まれる字幕を文字として認識する映像文字認識手段と、
前記ＴＶ番組の種類を判別するＴＶ番組種類判別手段と、
前記ＴＶ番組の種類毎に、該ＴＶ番組の種類に適した形式と内容を持つ情報画面を生成する情報画面生成手段とをさらに備え、
前記ＴＶ番組を記録するための記録手段を利用可能であり、
前記制御手段は、
前記記録手段に前記ＴＶ番組を記録するときに、前記映像文字認識手段を用いて、該ＴＶ番組の映像に含まれる文字を認識すると共に、前記ＴＶ番組種類判別手段を用いて、該ＴＶ番組の種類を判別した後、
前記ＴＶ番組種類判別手段により判別したＴＶ番組の種類に適した形式と内容を持つ情報画面を、前記映像文字認識手段が認識した文字を用いて前記情報画面生成手段により生成し、生成した情報画面を前記表示手段に表示することを特徴とするテレビジョン受像機。
【請求項３】
前記ＴＶ番組の音声に含まれる言葉を文字として認識する音声文字認識手段をさらに備え、
前記制御手段は、
前記記録手段に前記ＴＶ番組を記録するときに、前記映像文字認識手段及び前記音声文字認識手段を用いて、該ＴＶ番組の映像及び音声に含まれる文字を認識することを特徴とする請求項２に記載のテレビジョン受像機。
【発明の詳細な説明】
【技術分野】
【０００１】
本発明は、ハードディスクドライブ内蔵型テレビジョン受像機、及びテレビジョン受像機に関し、特にテレビ番組に含まれる内容の表示に関する。
【背景技術】
【０００２】
近年、ユーザは、旅行や料理等の情報番組（以下、ＴＶ番組という）を視聴した後、視聴したＴＶ番組の内容の整理や確認等(以下、確認作業という)を行うために、このＴＶ番組の内容について記載された出版物の購入や、このＴＶ番組専用のホームページの閲覧を行ったり、メモを取りながらＴＶ番組の再視聴を行うことがある。
【０００３】
従来のＴＶ番組の内容の確認を行うために、ユーザが行う確認作業の例について、図５に示す。まず、ユーザは、視聴したＴＶ番組の内容が記載された出版物がある場合（Ｓ１０１でＹＥＳ）、この出版物を購入し（Ｓ１０２）、この出版物から上記ＴＶ番組の情報内容を確認し（Ｓ１０３）、確認作業を終了する。一方、上記ＴＶ番組の内容が記載された出版物がない場合（Ｓ１０１でＮＯ）、ユーザは、ハードディスクレコーダ等にＴＶ番組を記録することができるときは（Ｓ１０４でＹＥＳ）、ハードディスクレコーダ等にＴＶ番組を記録する（Ｓ１０５）。そして、ユーザは、記録したＴＶ番組から所望の内容を検索し（Ｓ１０６）、検索した情報をメモし（Ｓ１０７）、このメモからＴＶ番組の情報内容を確認して（Ｓ１０３）、確認作業を終了する。
【０００４】
上記Ｓ１０４において、ハードディスクレコーダ等に上記ＴＶ番組を記録することができないとき（Ｓ１０４でＮＯ）、ユーザがインターネットに接続可能なパソコンを利用できる場合（Ｓ１０８でＹＥＳ）、ユーザがパソコンを操作することにより上記ＴＶ番組の内容が記載されたホームページの検索を行う（Ｓ１０９）。この検索の結果、ホームページを見つけることができた場合（Ｓ１１０でＹＥＳ）、ユーザは、このホームページに記載された上記ＴＶ番組の情報内容を確認し（Ｓ１０３）、確認作業を終了する。一方、上記Ｓ１０９で、ホームページを見つけることができなかった場合（Ｓ１１０でＮＯ）、ユーザは、上記Ｓ１０３の作業を行うことなしに、確認作業を終了する。
【０００５】
上述したように、ユーザは、視聴したＴＶ番組の内容の確認作業を行う場合、このＴＶ番組の内容について記載された出版物の購入や、このＴＶ番組専用のホームページの閲覧を行ったり、メモを取りながらＴＶ番組の再視聴を行う必要があり、ユーザにとって、手間がかかるという問題がある。
【０００６】
ところで、上記問題に対して、特許文献１の発明は、記録再生部と、記録再生部から読み出されるＴＶ番組の最初の画面からサムネイル画像を生成するサムネイル生成部とを備え、記録再生部にＴＶ番組を記録するときに、サムネイル生成部を用いて、サムネイル画像を生成し、このサムネイル画像を合成することによりサムネイル画像一覧画面を生成して表示するテレビである。そのため、記録再生部に記録されているＴＶ番組のサムネイルを見ることができるので、ユーザが、再生したいＴＶ番組を、記録再生部から容易に探し出すことができる。
【０００７】
また、特許文献２の発明は、放送中のＴＶ番組と関連する関連情報を、放送中のＴＶ番組と同期したサーバから、ネットワークを介して配信する方法であり、放送中のＴＶ番組に関する関連情報をユーザが簡単にかつ速やかに得ることのできるシステムである。
【０００８】
また、特許文献３の発明は、ＴＶ番組に対して行う画面効果等のエフェクトに対応した編集効果名を記録することができる効果設定テーブルを備え、編集効果名とエフェクトとの対応関係を変更することにより、ＴＶ番組に対して行うエフェクトを容易に変更することができるＴＶ番組編集システムである。
【０００９】
しかし、上記特許文献１乃至特許文献３に記載された発明では、ユーザは、ＴＶ番組の内容について記載された出版物の購入や、このＴＶ番組専用のホームページの閲覧を行ったり、メモを取りながらＴＶ番組の再視聴を行う等のＴＶ番組の内容の確認作業を行う手間を軽減することができない。
【特許文献１】特開２００４−０８０５８７号公報
【特許文献２】特開２００３−２０３０３５号公報
【特許文献３】特開２００１−１９７４３０号公報
【発明の開示】
【発明が解決しようとする課題】
【００１０】
本発明は、上記問題を解決するためになされたものであり、ハードディスクにＴＶ番組を記録しながらＴＶ番組の内容を持つ情報画面を生成することができるようにして、ユーザが、一度視聴したＴＶ番組の内容の確認作業を行う手間を軽減することができるハードディスクドライブ内蔵型テレビジョン受像機、及びテレビジョン受像機を提供することを目的とする。
【課題を解決するための手段】
【００１１】
上記目的を達成するために請求項１の発明は、旅行や料理等の情報番組（以下、ＴＶ番組という）のテレビジョン放送信号（以下、ＴＶ放送信号という）を受信するチューナと、前記チューナによって受信したＴＶ放送信号に含まれる映像信号に基いた映像、及び各種のメッセージ等を表示する表示手段と、前記チューナによって受信した前記ＴＶ放送信号に含まれる音声信号に基いた音声を出力する音声出力手段と、ユーザが操作するためのボタン等を有する操作手段と、前記ＴＶ番組を記録するためのハードディスクドライブと、装置各部を制御する制御手段とを備えたハードディスクドライブ内蔵型テレビジョン受像機において、前記ＴＶ番組の映像に含まれる字幕を文字として認識する映像文字認識手段と、前記ＴＶ番組の音声に含まれる言葉を文字として認識する音声文字認識手段と、前記ＴＶ番組の種類を判別するＴＶ番組種類判別手段と、前記ＴＶ番組の種類毎に、該ＴＶ番組の種類に適した形式と内容を持つ情報画面を生成する情報画面生成手段とをさらに備え、前記制御手段は、前記ハードディスクドライブ内のハードディスクに前記ＴＶ番組を記録するときに、前記映像文字認識手段及び前記音声文字認識手段を用いて、該ＴＶ番組の映像及び音声に含まれる文字を認識すると共に、前記ＴＶ番組種類判別手段を用いて、該ＴＶ番組の種類を判別した後、前記ＴＶ番組種類判別手段により判別したＴＶ番組の種類に適した形式と内容を持つ情報画面を、前記映像文字認識手段及び前記音声文字認識手段が認識した文字を用いて、前記情報画面生成手段により生成し、生成した情報画面を前記表示手段に表示するものである。
【００１２】
請求項２の発明は、テレビ番組（以下、ＴＶ番組という）についてのテレビジョン放送信号（以下、ＴＶ放送信号という）に含まれる映像信号に基いた映像、及び各種のメッセージ等を表示する表示手段と、装置各部を制御する制御手段とを備えたテレビジョン受像機において、前記ＴＶ番組の映像に含まれる字幕を文字として認識する映像文字認識手段と、前記ＴＶ番組の種類を判別するＴＶ番組種類判別手段と、前記ＴＶ番組の種類毎に、該ＴＶ番組の種類に適した形式と内容を持つ情報画面を生成する情報画面生成手段とをさらに備え、前記ＴＶ番組を記録するための記録手段を利用可能であり、前記制御手段は、前記記録手段に前記ＴＶ番組を記録するときに、前記映像文字認識手段を用いて、該ＴＶ番組の映像に含まれる文字を認識すると共に、前記ＴＶ番組種類判別手段を用いて、該ＴＶ番組の種類を判別した後、前記ＴＶ番組種類判別手段により判別したＴＶ番組の種類に適した形式と内容を持つ情報画面を、前記映像文字認識手段が認識した文字を用いて前記情報画面生成手段により生成し、生成した情報画面を前記表示手段に表示するものである。
【００１３】
請求項３の発明は、請求項２に記載のテレビジョン受像機において、前記ＴＶ番組の音声に含まれる言葉を文字として認識する音声文字認識手段をさらに備え、前記制御手段は、前記記録手段に前記ＴＶ番組を記録するときに、前記映像文字認識手段及び前記音声文字認識手段を用いて、該ＴＶ番組の映像及び音声に含まれる文字を認識するものである。
【発明の効果】
【００１４】
本発明によれば、制御手段は、認識した文字を用いて、判別したＴＶ番組の種類に適した形式と内容を持つ情報画面を生成し、生成した情報画面を表示手段に表示する。そのため、ユーザは、一度視聴したＴＶ番組の内容の確認作業を行う手間を軽減することができる。
【発明を実施するための最良の形態】
【００１５】
以下、本発明の一実施形態について、図１乃至図２を参照して説明する。図１は、本実施形態に係るディジタルテレビジョン受像機１（以下、ディジタルテレビという：請求項におけるハードディスクドライブ内蔵型テレビジョン受像機、及びテレビジョン受像機）の外観を示し、図２は、ディジタルテレビ１の内部構成を示す。
【００１６】
ディジタルテレビ１は、旅行、料理、ニュース、トーク等の情報番組（以下、ＴＶ番組という）のテレビジョン放送信号（以下、ＴＶ放送信号という）を、アンテナ２を介して受信するチューナ１６と、チューナ１６によって受信したＴＶ放送信号に含まれる映像信号に基いた映像、及び各種のメッセージ等を表示するディスプレイ１１（表示手段）と、チューナ１６によって受信したＴＶ放送信号に含まれる音声信号に基いた音声を出力するスピーカ１２（音声出力手段）と、ユーザが操作するためのボタン等を有する操作部１５（操作手段）と、ＴＶ番組を記録するためのハードディスク（図示せず）を有するハードディスクドライブ１４（以下、ＨＤＤという）と、装置各部を制御する制御用マイコン１７（制御手段）と、制御用マイコン１７の動作プログラムを格納するメモリ１３とを備える。また、ＨＤＤ１４には、予め地図情報が記録されているものとする。
【００１７】
制御用マイコン１７は、ＴＶ番組の映像に含まれる字幕を文字として認識する映像文字認識手段と、ＴＶ番組の音声に含まれる言葉を文字として認識する音声文字認識手段と、ＴＶ番組の種類を判別するＴＶ番組種類判別手段と、ＴＶ番組の種類毎に、ＴＶ番組の種類に適した形式と内容を持つ情報画面を生成する情報画面生成手段として機能する。なお、制御用マイコン１７は、ＴＶ番組から認識した文字に、住所等の場所を示す情報が含まれている場合、ＨＤＤ１４に記録されている地図情報から、上記住所等に対応する地図画像を取得し、取得した地図画像を情報画面に表示することができるものとする。また、情報画面の形式は、旅行、料理、ニュース、トーク等のＴＶ番組の種類によって異なり、例えば、旅行のＴＶ番組における情報画面の形式は、行き方、地図、及び出演者のコメント等の情報を表示するものとする。また、料理のＴＶ番組における情報画面の形式は、料理の材料一覧、料理の感想等の情報を表示するものとする。
【００１８】
次に、ディジタルテレビ１にＴＶ番組を記録するときの制御用マイコン１７の処理について、図３を参照して説明する。まず、ユーザが操作部１５を操作することにより、ＨＤＤ１４のハードディスクにＴＶ番組を記録すると（Ｓ１）、制御用マイコン１７は、ＴＶ番組の映像及び音声に含まれる文字を認識し（Ｓ２）、さらにこれらの文字（主に番組タイトル）等からＴＶ番組の種類を判別する（Ｓ３）。
【００１９】
次に、制御用マイコン１７は、上記判別の結果、判別したＴＶ番組の種類に適した形式と内容を持つ情報画面を、上記Ｓ２において認識した文字を用いて生成し（Ｓ４）、生成した情報画面をディスプレイ１１に表示して（Ｓ５）、処理を終了する。
【００２０】
次に、上記情報画面について、図４を参照して説明する。図４は、例えば、「ＡＢＣ旅行」という旅行のＴＶ番組（以下、旅行番組という）をＨＤＤ１４に記録する際に、制御用マイコン１７により生成された情報画面の一例を示す。また、制御用マイコン１７は、旅行番組に含まれる映像及び音声から、「○○県△△市◇◇町１２３」、「ＡＢＣ駅前徒歩５分」などの場所を示す文字、及び「○○○が名物」、「景色が綺麗」などの出演者のコメントを示す文字を認識したものとする。
【００２１】
図４に示すように、旅行番組の情報画面２０は、旅行のＴＶ番組に適した形式であり、行き方２１、コメント２２、地図２３、及びその他情報２４等の制御用マイコン１７が認識した文字を表示している。
【００２２】
上記のように、本実施形態に係るディジタルテレビ１によれば、制御用マイコン１７は、ハードディスクに記録するＴＶ番組から認識した文字を用いて、ＴＶ番組の種類に適した形式と内容を持つ情報画面を生成し、生成した情報画面をディスプレイ１１に表示する。これにより、ユーザは、ＴＶ番組の内容について記載された出版物の購入や、このＴＶ番組専用のホームページの閲覧を行ったり、メモを取りながらＴＶ番組の再視聴を行う等のＴＶ番組の内容の確認作業を行う手間を軽減することができる。
【００２３】
また、情報画面は、ＴＶ番組から認識した文字から生成されているので、ユーザは、ディスプレイ１１に表示された情報画面を見ることにより、ＴＶ番組の内容をまとめて見ることができる。
【００２４】
なお、本発明は、上記実施形態の構成に限定されるものではなく、発明の趣旨を変更しない範囲で種々の変形が可能である。例えば、上記実施形態に係るディジタルテレビ１においては、ＨＤＤ１４に予め地図情報が記録されている場合の例を示したが、これに限られない。例えば、料理の画像や、各地の観光地などの情報を予めＨＤＤに記録しておき、制御用マイコンが認識した文字が、これらの情報と関連する場合、ＨＤＤからこれらの情報を読み取り、読み取った情報を情報画面に表示するものであってもよい。
【図面の簡単な説明】
【００２５】
【図１】本発明の一実施形態に係るディジタルテレビの外観を示す斜視図。
【図２】上記ディジタルテレビの内部構成を示す図。
【図３】上記ディジタルテレビにおける制御用マイコンの処理の手順を示す図。
【図４】上記ディジタルテレビの制御用マイコンが生成する情報画面の例を示す図。
【図５】従来のＴＶ番組情報内容の確認手順を示す図。
【符号の説明】
【００２６】
１  ディジタルテレビ（ハードディスクドライブ内蔵型テレビジョン受像機、テレビジョン受像機）
１１  ディスプレイ（表示手段）
１２  スピーカ（音声出力手段）
１４  ＨＤＤ（記録手段）
１５  操作部（操作手段）
１６  チューナ
１７  制御用マイコン（制御手段、映像文字認識手段、音声文字認識手段、ＴＶ番組種類判別手段、情報画面生成手段）
２０  情報画面
【図１】
2007228220.tif 000003
【図２】
2007228220.tif 000004
【図３】
2007228220.tif 000005
【図４】
2007228220.tif 000006
【図５】
2007228220.tif 000007